(57)【要約】【課題】天板下部に遮熱手段を備えて、該天板の温度上昇を抑制したもので、遮熱手段と対向するガード体の温度上昇による火傷の危険を未然に防止する燃焼器を提供する。【解決手段】前面を開放した枠体１内に燃焼部を備えると共に、この燃焼部と枠体１上面の天板５との間には、該天板５の温度上昇を抑制する遮熱手段１０を備えたもので、前記前面開放部を覆う複数のロッドから成るガード体４を備え、このガード体４の遮熱手段１０と対向する位置の遮熱ガードロッド１３を、他のガードロッドとは同一平面上ではない内側或いは外側に設けたので、内側にある場合には、高温にはなるが他のガードロッドとは同一平面上にはないので、不用意に触れて火傷する危険はなく、又内側にあるので指の侵入は確実に阻止されるものであり、しかも内側であるので梱包寸法が大きくなる事もないものである。【選択図】  図３
2004340458.tif 000002
【特許請求の範囲】
【請求項１】
前面を開放した枠体内に燃焼部を備えると共に、この燃焼部と枠体上面の天板との間には、該天板の温度上昇を抑制する遮熱手段を備えたものに於いて、前記前面開放部を覆う複数のロッドから成るガード体を備え、このガード体の遮熱手段と対向する位置の遮熱ガードロッドを、他のガードロッドとは同一平面上ではない内側或いは外側に設けた事を特徴とする燃焼器。
【発明の詳細な説明】
【０００１】
【発明の属する技術分野】
この発明は、ポータブル式の石油ストーブ等の燃焼器に関するものである。
【０００２】
【従来の技術】
従来よりこの種のものでは、遮熱手段によって天板の温度上昇を抑制する替わりに、熱気が全て前面上方に集中するので、この部分のガードロッドが高温に加熱されて起こる火傷や変色と言う問題を解消する為に、この部分のガードロッドを切欠いて無くしてしまうものであった。（例えば、特許文献１参照。）
【０００３】
【特許文献１】
実開昭６０−７５１８号公報
【０００４】
【発明が解決しようとする課題】
ところでこの従来のものでは、一番高温となる部分にガードロッドがないので、手や指が容易に入り、かえって火傷の危険が増すものであり、又ガード体の目的意義がなくなってしまうと言う問題点を有するものであった。
【０００５】
【課題を解決するための手段】
この発明はこの点に着目し上記欠点を解決する為、特にその構成を、前面を開放した枠体内に燃焼部を備えると共に、この燃焼部と枠体上面の天板との間には、該天板の温度上昇を抑制する遮熱手段を備えたものに於いて、前記前面開放部を覆う複数のロッドから成るガード体を備え、このガード体の遮熱手段と対向する位置の遮熱ガードロッドを、他のガードロッドとは同一平面上ではない内側或いは外側に設けたものである。
【０００６】
これによって、遮熱手段と対向する位置の遮熱ガードロッドは、内側にある場合には、高温にはなるが他のガードロッドとは同一平面上にはないので、不用意に触れて火傷する危険はなく、又内側にあるので指の侵入は確実に阻止されるものであり、しかも内側であるので梱包寸法が大きくなる事もないものである。
一方外側にある場合には、加熱による温度上昇は避けられるので、火傷の危険は確実に避けられるが、外に出っ張る分だけ寸法的に大きくなるものである。
【０００７】
【発明の実施の形態】
次にこの発明の一実施形態を図面に基づいて説明する。
１は灯芯式の石油ストーブを構成する枠体で、前面を開放し内方中央部には燃焼部を構成する複筒式の燃焼筒２を備えると共に、この燃焼筒２の赤熱を反射する反射板３を備え、更に前面開放部には複数のロッドから成るガード体４が設けられている。
【０００８】
５は枠体１の上面を構成する天板で、燃焼筒２の上方に当たる部分には前方に向かって上傾斜した２枚の遮熱板６、７と、この間の空気流路８、９で形成した遮熱手段１０が備えられ、この遮熱手段１０は燃焼筒２を囲む反射板３上方を完全に塞ぐようにして熱気の逃げをなくし、天板５の温度上昇を抑制して１０５℃以下のトップクール状態として、火傷や火災の発生を防止しているものである。
【０００９】
前記ガード体４は、６本の縦ロッド１１と複数の横ロッド１２とで構成され、遮熱手段１０と対向する位置には、中央の４本の縦ロッド１１の上端を内側に折り曲げた所に、台形状に形成されたロッドを垂下して取り付けることで、下端のロッドが内側に備えられた遮熱ガードロッド１３を構成するもので、他の縦ロッド１１及び横ロッド１２とは同一平面上にはないものであり、又台形状に形成したことで強度も増して変形防止にもなるものである。
【００１０】
１４は枠体１内の一側方に形成されたタンク室（図示せず）を開閉するタンク蓋で、カートリッジ式の給油タンク（図示せず）が入出自在に挿入される。
１５は枠体１の正面下方に備えられた操作パネルで、灯芯（図示せず）を上下動させることで燃焼部の火力を調節から消火までを行う火力調節ツマミ１６と、点火ツマミ１７及び消火ボタン１８と、給油時期を知らせる給油表示窓１９とを備えている。
２０は枠体１を載せる下皿である。
【００１１】
次にこの発明の作動について説明する。
燃焼部の燃焼で燃焼筒２から発生した熱気は、天板５に向かって上昇するが該天板５の下部には遮熱手段１０が備えられているので、この遮熱手段１０に案内されて上部に抜けることなく前面開放の上部から前方へ放出されるものである。
【００１２】
これは遮熱手段１０を構成する遮熱板６、７が前に行くに従って上方に向かって傾斜しているからであり、又空気流路８、９を通る自然ドラフトによる下部からの空気も遮熱板６、７を冷却しながら前面開放の上部から前方へ放出されて、天板５の加熱を確実に阻止しトップクール状態を常に維持するものである。
【００１３】
そして遮熱手段１０と対向する位置で、熱気が集中して放出される部分にあるガード体４の遮熱ガードロッド１３は、他のガードロッドよりは強力に加熱されて高温状態となるが、この遮熱ガードロッド１３は他のガードロッドとは同一平面上にはなく、内側に備えられているので、高温に加熱されたとしても表面上でなく容易に手が触れない奥側で、不用意に触れて火傷する心配がないものであり、しかも最も高温状態の遮熱手段１０への接触もこの遮熱ガードロッド１３で阻止出来、ガード体４本来の保護と言う機能を発揮させるものである。
【００１４】
次に図４に示す他の実施形態を説明すれば、遮熱ガードロッド１３を外側に備えたもので、外側にすると手は不用意に触れ易くなるが、遮熱手段１０から離れている分、加熱による温度上昇は３５０℃以下に抑えられて、手が触れても火傷する危険はなく、しかも内側への指の侵入も確実に阻止出来るものである。
ただ内側であれば、梱包寸法はかわらないが、外側にすると梱包寸法が少し大きくなり、どちらも一長一短があるものである。
【００１５】
次に図５に示す別の他の実施形態を説明すれば、遮熱ガードロッド１３は内側で２本備えたもので、指等の侵入を確実に阻止すると共に、ガードとしての強度を増すようにしたものであり、この遮熱ガードロッド１３の本数には関係なく同様な効果が得られるものである。
【００１６】
【発明の効果】
以上のようにこの発明によれば、遮熱手段と対向する位置の遮熱ガードロッドは、内側にある場合には、高温にはなるが他のガードロッドとは同一平面上にはないので、不用意に触れて火傷する危険はなく、又内側にあるので指の侵入は確実に阻止されるものであり、しかも内側であるので梱包寸法が大きくなる事もないものである。
一方外側にある場合には、加熱による温度上昇は避けられるので、火傷の危険は確実に避けられるが、外に出っ張る分だけ寸法的に大きくなるものである。
【図面の簡単な説明】
【図１】この発明の一実施形態を付した石油ストーブの斜視図。
【図２】同ガード体の要部の正面図。
【図３】同要部の断面図。
【図４】他の実施形態を示す要部の断面図。
【図５】別の他の実施形態を示す要部の断面図。
【符号の説明】
１  枠体
２  燃焼筒（燃焼部）
３  反射板
４  ガード体
５  天板
１３  遮熱ガードロッド
【図１】
2004340458.tif 000003
【図２】
2004340458.tif 000004
【図３】
2004340458.tif 000005
【図４】
2004340458.tif 000006
【図５】
2004340458.tif 000007